(57)【特許請求の範囲】
【請求項１】
蛇口と連結可能な原水流入口と、原水をそのままストレート状またはシャワー状に吐水する各原水吐出口と、浄水器に接続可能な原水送水口とを備えた切換弁本体
並びに取っ手部分を備えた切換レバーとを有する切換弁であって、
該切換弁本体の内部に、該切換レバーと連動して回動する回転軸の同一方向のみへの回動操作により各原水吐出口または原水送水口への水路の順次の切り換えを行う水路切換機構及び該切換レバーによる回動伝達部にラチェット機構とを有するとともに、
前記切換レバーを押し下げる度にまたは押し上げる度に水路の切換が順次行われる切換弁。
【請求項２】
前記切換レバーを元の所定位置に復元する切換レバー復元機構を有する請求項１に記載の切換弁。
【請求項３】
前記切換レバー復元機構が、戻しバネによって切換レバーを復元する機構である請求項２に記載の切換弁。
【請求項４】
前記水路切換機構が、切換レバーと連動して回動するアームのある回転軸のアームにより移動するボールによって水路が開閉するボール弁を用いた切換機構である請求項１〜３のいずれか一項に記載の切換弁。
【請求項５】
アームのある回転軸がアームを回転軸の長手方向に６０°ずつ位相をずらして設けたものである請求項４に記載の切換弁。
【請求項６】
前記原水送水口が浄水器の接続部と着脱自在な嵌合構造である請求項１〜５のいずれか１項に記載の切換弁。
【請求項７】
請求項１〜６のいずれか１項に記載の切換弁の原水送水口に、浄水器の接続部を接続した結合体。
【発明の詳細な説明】
【０００１】
【発明の属する技術分野】
本発明は、水道蛇口と浄水器の間に配される切換弁に関し、さらに詳しくは水道蛇口に取り付けられ、原水の水路と浄水器に送水する水路に切り換え、かつ原水をストレート状またはシャワー状に吐水させる切換弁に関する。
【０００２】
【従来の技術】
従来、切換弁として図９に示すような切換弁が知られている。図９において、１は切換弁本体、２は原水の水路、３は筒部で内部に水路が形成され軸線に対し回動自在となっており、４はパッキンで水路２と筒部３間を密接させ、５、６は開口部で筒部３の長手方向に位相をずらして設けられ、７はレバーで筒部３を回動させる、８は蛇口に取り付ける固定リング、９は開口部５と連通する原水ストレート流出口、１０は開口部６と連通する原水シャワー流出口、１１はシャワーキャップ嵌合用ネジ部である。
【０００３】
図９に示す切換弁において、レバー７により筒部３を回動させ、筒部３の開口部５と原水ストレート流出口９とを合致させると、原水は切換弁本体１の下方よりストレート状に吐水する。レバー７により筒部３を回動させ、筒部３の開口部６と原水シャワー流出口１０とを合致させると、原水は、切換弁本体１の下方よりシャワー状に吐水する。
【０００４】
しかしながら、かかる従来の切換弁においては、回動自在の筒部にパッキンが密接しているため、筒部の回動での負荷が大きく、レバーが回し難いという難点があり、また、この負荷を低減するため、パッキンの筒部との接触部にグリースを塗布する手段もあるが、切換弁の使用時間が長くなると塗布したグリースが水で流出し、その効果が失われるという問題が生じていた。また、従来の切換弁においては、レバーを回して所定位置に固定するという操作を必要とするため、レバーを指でつまめないと切り換え操作ができないという煩わしさがあり、指が濡れていたり、手に物を持った状態では、レバーから指を滑らせたり、レバーそのものを回せない等切り換え操作に不都合がある。
【０００５】
【発明が解決しようとする課題】
本発明の目的は、原水をストレート状またはシャワー状に吐水させる原水の水路と浄水器に送水する水路との切り換え操作での負荷が少なく、また簡単かつ安全に切り換え操作を行うことができる切換弁及び切換弁と浄水器との結合体を提供することにある。
【０００６】
【課題を解決するための手段】
本発明の要旨は、蛇口と連結可能な原水流入口と、原水をそのままストレート状またはシャワー状に吐水する各原水吐出口と、浄水器に接続可能な原水送水口とを備えた切換弁本体
並びに取っ手部分を備えた切換レバーとを有する切換弁であって、該切換弁本体の内部に、該切換レバーと連動して回動する回転軸の同一方向のみへの回動操作により各原水吐出口または原水送水口への水路の順次の切り換えを行う水路切換機構及び該切換レバーによる回動伝達部にラチェット機構とを有するとともに、前記切換レバーを押し下げる度にまたは押し上げる度に水路の切換が順次行われる切換弁である。
【０００７】
【発明の実施の形態】
本発明の構成を図面に基づいて説明する。
図１は、本発明の切換弁の正面図、図２は、本発明の切換弁の下面図、図３は、図１のＳ−Ｓ横断面図である。図１〜図２において、２１は切換弁本体、２２は切換レバー、２３は蛇口に固定しうる原水流入口、２４は原水ストレート吐出口、２５は原水シャワー吐出口、２６は原水送水口を示す。図３において、３８はラチェットホイール、３９は回転掛け爪、４０は戻しバネ、４１はストッパー、４２はバネ受けを示す。
【０００８】
図１〜図２において、本発明の切換弁は、蛇口と連結固定可能な原水流入口２３、原水をそのままストレート状に吐水する原水ストレート吐出口２４、原水をそのままシャワー状に吐水する原水シャワー吐出口２５及び浄水器に接続可能な原水送水口２６を備え、切換弁本体２１の内部に切換レバー２２の回動操作により各原水吐出口２４、２５または原水送水口２６への水路の切り換えを行う水路切換機構を有している。また、切換レバー２２による回動伝達部には、ラチェットホイール３８、回転掛け爪３９からなるラチェット機構及び切換レバーを元の所定位置に復元する戻しバネ４０、ストッパー４１、バネ受け４２からなる切換レバー復元機構が配設されている。
【０００９】
切換弁本体２１、切換レバー２２の大きさ、形状は、特に制限されるものではないが、ＡＢＳ樹脂、ポリカーボネート樹脂等の強靭性、耐圧性、耐熱性の硬質プラスチックであることが好ましい。原水送水口２６は、浄水器に接続可能な構造とし、浄水器の接続部と着脱自在な嵌合構造とすることが好ましく、ネジ式、カプラー式、バヨネット式等のいずれでもよい。
【００１０】
本発明の切換弁において、切換弁本体の内部に有する水路切換機構は、切換レバーの回転軸のアームにより移動して開口部をシールするボールによって水路が開閉するボール弁を用いた切換機構であることが好ましく、かかるボール弁方式の水路切換機構について図３〜図６にて説明する。図３は、図１のＳ−Ｓ横断面図、図４は、図３のＡ−Ａ縦断面図、図５は、図３のＢ−Ｂ縦断面図、図６は、図３のＣ−Ｃ縦断面図である。
【００１１】
図３において、２７は浄水用シールボール、２８は原水シャワー用シールボール、２９は原水ストレート用シールボール、３０はアームを軸対称に設けたアーム付き回転軸、３１はＯリング、３２はワッシャー、３３は止めビスを示す。また、図４〜図６において、３４は原水流入口、３５は原水シャワー用開口部、３６は浄水用開口部、３７は原水ストレート用開口部を示す。
【００１２】
図３〜図６においては、原水送水口２６への水路に切り換えられた状態を示すが、この切り換え状態では、図５に示すように、浄水用開口部３６上に収まり浄水用開口部３６を水圧によって閉塞する浄水用シールボール２７は、アーム付き回転軸３０の片側のアームによって押し上げられ、浄水用開口部３６を開放し、原水送水口２６への水路が形成される。一方、図４に示すように、原水シャワー用開口部３５は、原水シャワー用シールボール２８によって閉塞され、また図６に示すように、原水ストレート用開口部３７は、原水ストレート用シールボール２９によって閉塞され、それぞれ水路は形成されない。
【００１３】
この切換弁における動作の違いは、アーム付き回転軸３０のアームが回転軸３０の長手方向に位相をずらして設けたことにより生じ、好ましくはアーム付き回転軸３０におけるアームは、６０゜ずつ位相をずらして設ける。従って、アーム付き回転軸３０に連結した切換レバー２２によってアーム付き回転軸３０を６０゜回動させると、原水シャワー用開口部３５上に収まり原水シャワー用開口部３５を水圧によって閉塞する原水シャワー用シールボール２８は、アーム付き回転軸３０の片側のアームによって押し上げられ、原水シャワー用開口部３５を開放し、水路を形成する。一方、浄水用開口部３６は、浄水用シールボール２７によって閉塞され、また、原水ストレート用開口部３７は、原水ストレート用シールボール２９によってそれぞれ閉塞され、水路は形成されない。
【００１４】
また、さらに切換レバー２２によってアーム付き回転軸３０を６０゜回動させると、原水ストレート用開口部３７上に収まり原水ストレート用開口部３７を水圧によって閉塞する原水ストレート用シールボール２９は、アーム付き回転軸３０の片側のアームによって押し上げられ、原水ストレート用開口部３７を開放し、水路を形成する。一方、浄水用開口部３６は、浄水用シールボール２７によって閉塞され、また、原水シャワー用開口部３５は、原水シャワー用シールボール２８によってそれぞれ閉塞され、水路は形成されない。かかる水路の切り換え操作は、切換レバー２２によって順次或いは任意に行われる。
【００１５】
水路切換機構の構成材質は、特に限定はされないが、シールボール２７、２８、２９の材質としてはシール性に優れたＮＢＲ、シリコン等の軟質ゴムが好ましく、また、アーム付き回転軸３０の材質としては耐圧性、耐摩耗性に優れたポリアセタール樹脂が好ましい。
【００１６】
本発明の切換弁における切換レバーによる回動伝達部に配設されるラチェット機構及び切換レバー復元機構について、図７〜図８にてさらに詳しく説明する。図７は、切換レバー２２による回動伝達部における構成の分解斜視図、図８はラチェット機構部の正面図である。図７において、アーム付き回転軸３０の軸線上に配置され、ラチェットホイール３８、回転掛け爪３９からなるラチェット機構及び戻しバネ４０、ストッパー４１、バネ受け４２からなる切換レバー復元機構が切換レバー２２の根元部の回動伝達部に配設され、切換レバー２２による回動操作に連動してラチェット機構及び切換レバー復元機構が作動すると共にアーム付き回転軸３０が回動する。
【００１７】
切換レバー２２を６０゜下方に押し下げると、回転掛け爪３９が回転するが、この際、回転掛け爪３９の掛け爪がラチェットホイール３８の歯に掛かり、ラチェットホイール３８及びアーム付き回転軸３０を回転させる。切換レバー２２を６０゜下方に押し下げた状態を解除すると、切換レバー２２のみは、バネ受け４２で制限された戻しバネ４０の反力により元の位置に戻る。切換レバー２２の戻る位置の設定は、切換レバー２２の根元部の回動伝達部の外周に凸設したストッパー４１と切換弁本体２１の外壁に凸設したストッパー４１により行い、好ましくは切換レバー２２の水平位置から切換レバー２２が４５゜上方になる位置になるように設定する。
【００１８】
切換レバー２２が元の位置に戻る際、回転掛け爪３９も逆回転しようとするが、図８に示すように、回転掛け爪３９の掛け爪を肉薄で柔軟性のあるものとすることにより、ラチェットホイール３８は、回転掛け爪３９と共には逆回転せずにその位置に留まり、次に切換レバー２２を６０゜下方に押し下げる際に、回転掛け爪３９の掛け爪がラチェットホイール３８の次の歯に掛かり、ラチェットホイール３８を回転させる。
【００１９】
以上の一回の切換レバーの回動操作が一つの水路切り換え操作単位として行われ、切換レバーを予め設定した所定の位置から６０゜下方に押し下げる度に、水路切換機構のアーム付き回転軸３０が同一方向に６０゜ずつ回転して水路の切り換えが順次行われる。
【００２０】
ラチェットホイール３８、回転掛け爪３９は、その大きさ、形状は、前記のような作動性を有するものであれば、特に限定はされないが、材質としてはポリアセタール樹脂等の耐圧性、耐摩耗性、強度に優れたプラスチックが好ましい。
【００２１】
本発明の切換弁において、水路の切り換え順序、切換レバーの押し下げ角度、切換レバーの復元角度等は、前記記述に限定されるものではなく、適宜設定変更し得ることは勿論であり、また、切換レバーの押し倒す方向を切換レバーの押し下げではなく切換レバーの押し上げに代えることもできる。
【００２２】
【実施例】
図１〜図８に、実施例として切換弁本体の内部にボール弁方式の切換機構を有し、切換レバー復元機能を有する切換弁の実施例の正面、下面及び主要箇所での横断面、縦断面、構成状態を示す。
【００２３】
【発明の効果】
本発明の切換弁は、原水をストレート状またはシャワー状に吐水させる原水の水路と浄水器に送水する水路の切り換え操作を、切換レバーを一方向に押し倒すことにより行うことができ、復元する切換レバーを一方向に押し倒すだけで順次水路の切り換えが行えるので、指が濡れていたり、手に物を持った状態等でも切り換え操作が簡単、かつ安全に行える。また、切換弁本体内部の切換機構を、切換レバーの回転軸のアームにより移動するボールによって水路が開閉するボール弁を用いた切換機構とすることにより、切り換え操作での負荷が少なく、スムーズに行うことができる。本発明の切換弁は、水道蛇口に固定して用い、蛇口直結型或いは据置型の浄水器の原水流入口と接続させて、切換弁で原水のストレート状またはシャワー状の吐水を、また浄水器で浄水を得ることができる。
【図面の簡単な説明】
【図１】本発明の切換弁の正面図である。
【図２】本発明の切換弁の下面図である。
【図３】図１のＳ−Ｓ横断面図である。
【図４】図３のＡ−Ａ縦断面図である。
【図５】図３のＢ−Ｂ縦断面図である。
【図６】図３のＣ−Ｃ縦断面図である。
【図７】切換レバーの回動伝達部における構成の分解斜視図である。
【図８】ラチェット機構部の正面図である。
【図９】従来の切換弁の一部切り欠き斜視図である。
【符号の説明】
２１  切換弁本体
２２  切換レバー
２３  蛇口に固定しうる原水流入口
２４  原水ストレート吐出口
２５  原水シャワー吐出口
２６  原水送水口
２７  浄水用シールボール
２８  原水シャワー用シールボール
２９  原水ストレート用シールボール
３０  アーム付き回転軸
３１  Ｏリング
３２  ワッシャー
３３  止めビス
３４  原水流入口
３５  原水シャワー用開口部
３６  浄水用開口部
３７  原水ストレート用開口部
３８  ラチェットホイール
３９  回転掛け爪
４０  戻しバネ
４１  ストッパー
４２  バネ受け
【図１】
0004393785.tif 000002
【図２】
0004393785.tif 000003
【図３】
0004393785.tif 000004
【図４】
0004393785.tif 000005
【図５】
0004393785.tif 000006
【図６】
0004393785.tif 000007
【図７】
0004393785.tif 000008
【図８】
0004393785.tif 000009
【図９】
0004393785.tif 000010